(57)【要約】【課題】  高密度光記録機器のための適応的な記録方法を提供する。【解決手段】  入力されるデータの現在のマークの大きさと以前及び/または以降スペースの大きさとを判別する判別器１０２と、現在のマークの大きさと以前及び/または以降スペースの大きさに応じて記録パルスの波形を制御して適応的な記録パルスを発生する発生器１０８と、適応的な記録パルスを各チャンネルの光出力の駆動レベルに応じて電流信号形態に変換して前記光源を駆動する駆動器１１０とを含む。これにより、入力されるNRZIデータの現在のマークの大きさと以前及び/または以降スペースの大きさに応じて記録パルスの最初のパルス及び/または最後のパルスの幅を変化させ、ジッタを最小化させてシステムの信頼性及び性能を向上させる。【選択図】  図２
2005243234.tif 000002
【特許請求の範囲】
【請求項１】
最初のパルス、最後のパルス、及びマルチパルス列で構成された記録パルスにより入力データを光記録媒体上に記録する方法において、
記録パルスの最初及び/または最後パルスの幅データを有するグループ化デーブルを参照して、前記入力データの現在マークの大きさ及び現在マークの以前及び/または以後スペースの大きさに応じて前記記録パルスの波形を制御する段階と、
前記記録パルスを使って前記光記録媒体上に前記入力データを記録する段階を含み、前記グループ化テーブルには入力されるデータの現在マークの大きさと以前及び以後スペースの大きさが、それぞれ短パルス,中パルス,及び長パルスにグループ化されており、前記グループの各組み合わせ毎に対応する記録パルスの最初パルスと最後パルスの幅データが保存されており、
前記短パルス、中パルス、及び長パルスはグループ化ポインターにより区分され、前記グループ化ポインターを使用して、記録媒体上のゾーン別に短パルス、中パルス、及び長パルスが適応的にグループ化されることを特徴とする方法。
【請求項２】
前記入力データがランドトラックのデータなのか、グルーブトラックのデータなのかに応じて最初パルスの上昇エッジが可変されることを特徴とする請求項１に記載の方法。
【請求項３】
前記入力データがランドトラックのデータなのか、グルーブトラックのデータなのかに応じて最初パルスの下降エッジが可変されることを特徴とする請求項１に記載の方法。
【請求項４】
最初のパルス、最後のパルス、及びマルチパルス列で構成された記録パルスにより入力データを光記録媒体上に記録する装置において、
入力されるデータの現在マークの大きさと、以前及び以後スペースの大きさを判別する判別器と、
記録パルスの最初及び/または最後パルスの幅データを有するグループ化テーブルが保存されるメモリと、
前記メモリに保存された記録パルスの最初及び/または最後パルスの幅データを有するグループ化テーブルを参照して、前記判別された現在マークの大きさ及び現在マークの以前及び/または以後スペースの大きさに応じて前記記録パルスの波形を制御する適応的な記録パルスを発生する発生器と、 
前記適応的な記録パルスを各チャンネルの光出力の駆動レベルに応じて光源を駆動する駆動器を含み、
前記グループ化テーブルには入力されるデータの現在マークの大きさと以前及び以後スペースの大きさが、それぞれ短パルス、中パルス、及び長パルスにグループ化されており、前記グループの各組み合わせ毎に対応する記録パルスの最初パルスと最後パルスの幅データが保存されており、
前記短パルス、中パルス、及び長パルスはグループ化ポインターにより区分され、前記グループ化ポインターを使用して、記録媒体上のゾーン別に短パルス、中パルス、及び長パルスが適応的にグループ化されることを特徴とする装置。
【請求項５】
前記入力データがランドトラックのデータなのか、グルーブトラックのデータなのかに応じて最初パルスの上昇エッジが可変されることを特徴とする請求項４に記載の装置。
【請求項６】
前記入力データがランドトラックのデータなのか、グルーブトラックのデータなのかに応じて最初パルスの下降エッジが可変されることを特徴とする請求項４に記載の装置。
【発明の詳細な説明】
【技術分野】
【０００１】
本発明は高密度光記録機器のための適応的な記録方法に係り、特に光源(レーザーダイオード）の光出力を記録媒体の特性に最適化させるための適応的な記録方法に関する。
【背景技術】
【０００２】
マルチメディア時代は高容量の記録媒体を要求し、このような高容量の記録媒体を使用する光記録機器としては、MODD(Magnetic Optical Disc Drive)及びDVD-RAM(Digital Versatile Disc Random Access Memory)ドライブが挙げられる。
【０００３】
このような光記録機器は記録密度が高まることにより、最適のシステム状態が必要となって精密性が要求される。一般に、記録容量が増加すればデータ領域(domain）の時間軸方向の振れ(以下、ジッタ(jitter)と称する)が大きくなるため、高密度の記録を具現するためにこのようなジッタを最小化することが何よりも重要である。
【０００４】
従来には、図1の(a)に示されたようにマークが3T、5T、11T(Tはチャンネルクロック期間)等で構成された入力NRZI(Non Return to Zero Inversion)データに対して図1の(b)に示されたようにDVD-RAMフォーマットブックに明示された状態で記録パルス(write pulse)を構成して記録した。ここで、このNRZIデータはマークとスペースとに区分され、このスペースはオーバーライトのための消去光出力状態である。3Tマークより長いマーク、即ち3T、4T、...、11T、14Tのための記録パルスは最初のパルス、最後のパルス及びマルチパルス列で構成され、マークの大きさに応じてこのマルチパルス列の数のみが変化される。
【０００５】
即ち、再生光出力(図1の(c))、ピーク光出力(記録光出力とも称する：図1の(d))及びバイアス光出力(消去光出力とも称する：図1の(e)）の組合せで図1の(b)に示された記録パルスの波形が構成される。この際、図1の(c)、(d)及び(e)に示された各光出力信号はローアクティブ信号である。
【０００６】
この記録パルス波形は第1世代、2.6GB DVD-RAM標準とも同一である。即ち、2.6GB DVD-RAM標準案によれば、記録パルスの波形は最初のパルス、マルチパルス列と最後のパルスからなり、最初のパルスの上昇エッジまたは最後のパルスの下降エッジをリードイン(リードイン)領域で読出して使用することはできるが、一度設定された値により固定された形態の記録パルスを記録することになって適応的な記録が不可能であった。
【０００７】
従って、図1の(b)に示されたように記録パルスを構成して記録する際、入力されるNRZIデータに応じて、特にマークの前端部または後端部で熱的干渉が大きく発生しうる。即ち、マークが大きくてスペースが小さいか、逆にスペースが大きくてマークが小さい場合にジッタが最も激しく発生される。これはシステムの性能を劣化させる最も大きな要因であり、今後の高密度DVD-RAM、例えば第2世代、即ち、4.7GB DVD-RAM等では使用しにくくなる問題点があった。
【発明の開示】
【発明が解決しようとする課題】
【０００８】
前記問題点を解決するための本発明の目的は、入力されるデータの現在のマークの大きさと以前及び/または以降スペースの大きさに応じて発生される適応的な記録パルスを記録する方法を提供するにある。
【課題を解決するための手段】
【０００９】
本願発明は、最初のパルス、最後のパルス、及びマルチパルス列で構成された記録パルスにより入力データを光記録媒体上に記録する方法において、記録 パルスの最初及び/または最後パルスの幅データを有するグループ化デーブルを参照して、前記入力データの現在マークの大きさ及び現在マークの以前及び/または以後スペースの大きさに応じて前記記録 パルスの波形を制御する段階と、前記記録パルスを使って前記光記録媒体上に前記入力データを記録する段階を含み、前記グループ化テーブルには入力されるデータの現在 マークの大きさと以前及び以後スペースの大きさが、それぞれ短パルス,中パルス,及び長パルスにグループ化されており、前記グループの各組み合わせ毎に対応する記録パルスの最初パルスと 最後パルスの幅データが保存されており、前記短パルス、中パルス、及び長パルスはグループ化ポインターにより区分され、前記グループ化ポインターを使用して、記録媒体上のゾーン別に短パルス、中パルス、及び長パルスが適応的にグループ化されることを特徴とする。
【００１０】
また、本願発明は、最初のパルス、最後のパルス、及びマルチパルス列で構成された記録パルスにより入力データを光記録媒体上に記録する装置において、入力されるデータの現在マークの大きさと、以前及び以後スペースの大きさを判別する判別器と、記録パルスの最初及び/または最後パルスの幅データを有するグループ化テーブルが保存されるメモリと、前記メモリに保存された記録パルスの最初及び/または最後パルスの幅データを有するグループ化テーブルを参照して、前記判別された現在マークの大きさ及び現在マークの以前及び/または以後スペースの大きさに応じて前記記録パルスの波形を制御する適応的な記録パルスを発生する発生器と、前記適応的な記録パルスを各チャンネルの光出力の駆動レベルに応じて光源を駆動する駆動器を含み、前記グループ化テーブルには入力されるデータの現在マークの大きさと以前及び以後スペースの大きさが、それぞれ短パルス、中パルス、及び長パルスにグループ化されており、前記グループの各組み合わせ毎に対応する記録パルスの最初パルスと最後パルスの幅データが保存されており、前記短パルス、中パルス、及び長パルスはグループ化ポインターにより区分され、前記グループ化ポインターを使用して、記録媒体上のゾーン別に短パルス、中パルス、及び長パルスが適応的にグループ化されることを特徴とする。
【００１１】
本願発明は、更に、前記入力データがランドトラックのデータなのか、グルーブトラックのデータなのかに応じて最初パルスの上昇エッジが可変されることを特徴とする。
また、本願発明は、更に、前記入力データがランドトラックのデータなのか、グルーブトラックのデータなのかに応じて最初パルスの下降エッジが可変されることを特徴とする。
【発明を実施するための最良の形態】
【００１２】
以下、添付された図面に基づき、本発明に係る高密度光記録機器のための適応的な記録方法及びその回路の望ましい実施形態を説明する。本発明に係る適応的な記録回路は図2に示されたようにデータ判別器102、記録波形制御器104、マイコン106、記録パルス発生器108及び電流駆動器110で構成される。即ち、データ判別器102は入力されるNRZIデータを判別し、記録波形制御器104はデータ判別器102で判別された結果と、ランド/グルーブ(LAND/GROOVE)信号に応じて記録パルスの波形を修正する。マイコン106は記録波形制御器104を初期化させたり、記録条件に応じて記録波形制御器104に貯蔵されたデータが更新されるように制御する。記録パルス発生器108は記録波形制御器104の出力に応じて適応的な記録パルスを発生させ、電流駆動器110は記録パルス発生器108から発生された適応的な記録パルスを各チャンネルの光出力レベルに応じて電流信号に変換して光源を駆動させる。
【００１３】
次いで、図2に示された装置の動作を図3乃至図7に基づいて説明する。図2において、データ判別器102は入力されるNRZIデータ(図3の(a))から現在の記録パルスに該当するマーク(以下、現在のマークと称する）の大きさ、現在の記録パルスの最初のパルスに該当する前部のスペース(以下、以前スペースと称する）の大きさと現在の記録パルスの最後のパルスに該当する後部のスペース(以下、以降スペースと称する)を判別して以前及び/または以降スペースの大きさと現在のマークの大きさとを記録波形制御器104に印加する。
【００１４】
ここで、以前スペースの大きさ、現在のマークの大きさと以降スペースの大きさは各々最短3Tから最長14Tまで有しうるため、これら全ての組合せを考慮すれば、約1000種以上の場合の数が発生するので、これら全ての場合の数に対する最初のパルスの上昇エッジと最後のパルスの下降エッジのシフト量を求める回路またはメモリが必要なのでシステムが複雑になり、ハードウェアが増加されうる。従って、本発明では入力されるNRZIデータの現在のマークの大きさ、以前スペースの大きさ及び以降スペースの大きさを短パルスグループ、中パルスグループ、長パルスグループにグループ化し、グループ化された現在のマークの大きさ、グループ化された以前スペースの大きさ及びグループ化された以降スペースの大きさを用いることもできる。
【００１５】
記録波形制御器104はデータ判別器102から供給される以前スペースの大きさと現在のマークの大きさに応じて最初のパルスの上昇エッジを前後にシフトして変化させたり、現在のマークの大きさと以降スペースの大きさに応じて最後のパルスの下降エッジを前後にシフトして変化させて最適の光出力を有する記録波形を作る。この際、マークのマルチパルス列は図3の(b)に示されたように0.5Tで同一な形態を取ることになる。
【００１６】
また、記録波形制御器104は入力されるNRZIデータがランドトラックのデータなのか、グルーブトラックのデータなのかを示す外部から流入されるランド/グルーブ(LAND/GROOVE)信号に応じて現在のマークの最初のパルスの上昇エッジと現在のマークの最後のパルスの下降エッジをそれぞれの他の値に修正しうる。その理由はランドとグルーブに応じてそれぞれの最適光出力が異なるので、これを考慮した記録波形を作るためである。ランドとグルーブの最適光出力は1-2mW程度の差が有り得、規格においても別に設定及び管理可能になっている。
【００１７】
従って、記録波形制御器104は入力されるNRZIデータの現在のマークの大きさと以前及び/または以降スペースの大きさに応じて最初のパルスの上昇エッジのシフト値と最後のパルスの下降エッジのシフト値に該当するデータが貯蔵されたメモリまたはロジック回路で構成されうる。記録波形制御器104がメモリで構成される場合、最初のパルスと最後のパルスの幅はチャンネルクロック(T)±メモリに貯蔵されたデータ値(シフト値)で決まる。また、このメモリにはランドトラック及びグルーブトラックの場合を各々反映した記録パルスの最初のパルスのシフト値と最後のパルスのシフト値が貯蔵されうる。最初のパルスの上昇エッジのシフト値が貯蔵されたテーブルと最後のパルスの下降エッジのシフト値が貯蔵されたテーブルとが一つのテーブルで構成されうるが、図6及び図7に示されたように別のテーブルで構成されることも出来る。
【００１８】
マイコン106は記録波形制御器104を初期化させたり、記録条件に応じて最適に調整された最初のパルス及び/または最後のパルスのシフト値が更新されるように制御する。特に、ゾーンにより光出力を変化させたり、最初のパルス及び最後のパルスのそれぞれのシフト値を再設定することも出来る。
【００１９】
このように記録パルスの波形を制御するパルス幅データは記録パルス発生器108に提供される。記録パルス発生器108は記録波形制御器104から供給される記録パルス波形を制御するパルス幅データによって図3の(f)に示されたように適応的な記録パルスを発生させ、この適応的な記録パルスに対する各チャンネル(再生、ピーク、バイアス）の電流の流れを制御する制御信号(図3の(c)、(d)、(e))を電流駆動器110に印加する。
【００２０】
電流駆動器110は入力される各チャンネル(再生、ピーク、バイアス）の光出力の駆動レベルを、各チャンネル電流の流れを制御する制御信号に該当する制御時間だけ電流に変換してレーザーダイオードに流して、レーザーダイオードの連続的なオン/オフ動作または光量変化を通じて記録媒体上に適切な熱を加えて所望の記録波形を記録する。この際、記録媒体上には図3の(g)に示されたように記録ドメインが形成される。
【００２１】
即ち、図3の(a）は入力されるNRZIデータであり、このNRZIデータはマークとスペースとに区分される。図3の(b）は基本記録波形を示しており、基本記録波形は現在のマークの上昇エッジに比べて記録パルスの最初のパルスの上昇エッジが0.5T遅れている。図3の(c）は適応的な記録パルスの再生光出力の波形であり、図3の(d）は適応的な記録パルスのピーク光出力の波形であり、図3の(e）は適応的な記録パルスのバイアス光出力の波形である。
【００２２】
図3の(f）は本発明に係る適応的な記録パルスの波形を示す。この適応的な記録パルスの最初のパルスの上昇エッジは以前スペースの大きさ及び現在のマークの大きさの組合せによって前後にシフトでき、シフトした期間には任意の光出力(ここでは、再生光出力または記録光出力)が印加され、同様に最後のパルスの下降エッジは現在のマークの大きさ及び以降スペースの大きさの組合せによって前後にシフトでき、シフトした期間には任意の光出力(ここでは、再生光出力または記録光出力)が印加される。
【００２３】
しかし、本発明の他の例として、最後のパルスの下降エッジは現在のマークの以降スペースの大きさを考慮せずに現在のマークの大きさに応じて前後にシフトでき、最初のパルスの上昇エッジ及び最後のパルスの下降エッジの全てをシフトせずに何れか１つのパルスのエッジをシフトすることもでき、かつシフトの方向も前後、前または後にのみシフトしうる。
【００２４】
図4は入力されるNRZIデータのグループ化を説明するための図面であって、2種のグループ化の構成例が示されている。第１例を説明すれば、ローグループ化ポインターが3であり、ハイグループ化ポインターが12であれば、短パルスグループのマークは3Tで、中パルスグループのマークは4T〜11Tであり、長パルスグループのマークは14Tである。第２例を説明すれば、ローグループ化ポインターが4であり、ハイグループ化ポインターが11であれば、短パルスグループは3T、4Tで、中パルスグループは5T、6T、7T、8T、9T、10Tであり、長パルスグループは11T、14Tとなる。このようにローグループ化ポインター及びハイグループ化ポインターを使用するので活用性を高め、ゾーン別に異にグループ化することも出来る。
【００２５】
図5はグループ化ポインターを用いて図4に示されたように入力されるNRZIデータを3つのグループに分類する場合、以前及び/または以降スペース、現在のマークの組合せに応じる場合の数を示しており、図6は以前スペースの大きさ及び現在のマークの大きさに依存する最初のパルスの上昇エッジのシフト値を示すテーブルの例であり、図7は現在のマークの大きさ及び以降スペースの大きさに依存する最後のパルスの下降エッジのシフト値を示すテーブルの例である。
【００２６】
図8は本発明に係る適応的な記録方法の一実施形態に係る流れ図であって、まず記録モードを設定し(S101段階)、記録モードが設定されれば適応的な記録モードなのかを判断する(S102段階)。S102段階で判断されたモードが適応的な記録モードならばグループ化ポインターを設定し(S103段階)、設定されたグループ化ポインターに応じるグループ化テーブルを選択する(S104段階)。この選択されたグループ化テーブルはグループ化ポインターだけでなく、前述したようにランド/グルーブを反映したテーブル、または記録媒体のゾーンを反映したテーブルで有り得る。
【００２７】
以前スペース及び現在のマークの組合せに応じて最初のパルスの上昇エッジのシフト値を図6に示されたようなテーブルから読出し(S105段階)、現在のマーク及び以降スペースの組合せに応じて最後のパルスの下降エッジのシフト値を図7に示されたようなテーブルから読出する(S106段階)。
【００２８】
読出されたシフト量に応じて最初のパルス及び最後のパルスが制御された適応的な記録パルスを生成し(S107段階)、生成された適応的な記録パルスに対する各チャンネル(再生、ピーク、バイアス）の光出力を制御してレーザーダイオードを駆動し(S108段階)、ディスクに記録する(S109段階)。S102段階で適応的な記録モードが設定されていないと、S107段階では一般の記録パルスを生成する。
【００２９】
図9は本発明に係る適応的な記録方法及び従来の記録方法により発生されるジッタ量を比較したグラフであって、ピーク光出力が9.5mW、マルチパルス列の基底光出力が1.2mW、クーリングパルス光出力が1.2mW、バイアス光出力が5.2mWである時、本発明の適応的な記録パルスを記録してから発生されるジッタ量が既存の固定された記録パルスを記録してから発生するジッタ量よりさらに小さいのが分かる。初期化条件は、速度4.2m/s、消去光出力7.2mW及び記録回数100回であった。
【００３０】
即ち、本発明は適応的に記録パルスの幅を変化させるにおいて以前スペースの大きさ及び現在のマークの大きさに応じて最初のパルスの上昇エッジを適応的にシフトさせ、記録パルスの波形を制御及び/または現在のマークの大きさ及び以降スペースの大きさに応じて最後のパルスの下降エッジを適応的にシフトさせて記録パルスの波形を制御することによって、ジッタ量を最小化する。また、ランド/グルーブ信号に応じて記録パルスの波形を最適化させることができる。また、本発明はグループ化ポインターを使用してゾーン別に異にグループ化することもある。
【００３１】
本発明から提案された新たな適応的な記録方法は適応的な記録パルスを使用して大部の高密度光記録機器において使用可能である。
【００３２】
〔発明の効果〕
前述したように、本発明は入力されるNRZIデータの現在のマークの大きさ及び以前及び/または以降スペースの大きさに応じて記録パルスの最初のパルス及び最後のパルスの幅を変化させてジッタを最小化させてシステムの信頼性及び性能を向上させる効果と、現在のマークの大きさと以前及び/または以降スペースの大きさをグループ化して記録パルスの幅を制御することでハードウェアの大きさを縮める効果がある。
【図面の簡単な説明】
【００３３】
【図１】(a)乃至(e）は従来の記録パルスの構成を示す波形図である。
【図２】本発明に係る高密度光記録機器のための適応的な記録回路の一実施形態によるブロック図である。
【図３】(a)乃至(g）は図2に示された適応的な記録回路により記録される適応的な記録パルスの波形図である。
【図４】入力されるデータのグループ化を説明するための図である。
【図５】図4に示されたグループ化により生成されるパルス組合せのテーブルを示す図である。
【図６】本発明に係る最初のパルスの上昇エッジのシフト値を示すテーブルの一例を示す図である。
【図７】本発明に係る最後のパルスの下降エッジのシフト値を示すテーブルの一例を示す図である。
【図８】本発明に係る適応的な記録方法の一実施形態に係る流れ図である。
【図９】本発明に係る適応的な記録方法及び従来の記録方法により発生されるジッタ量を比較した図である。
【符号の説明】
【００３４】
102  データ判別器
104  記録波形制御器
106  マイコン
108  記録パルス発生器
110  電流駆動器
【図１】
2005243234.tif 000003
【図２】
2005243234.tif 000004
【図３】
2005243234.tif 000005
【図４】
2005243234.tif 000006
【図５】
2005243234.tif 000007
【図６】
2005243234.tif 000008
【図７】
2005243234.tif 000009
【図８】
2005243234.tif 000010
【図９】
2005243234.tif 000011